(57)【要約】【課題】容易に多数のビーコン端末の設定を変更可能な無線通信装置を提供する。【解決手段】セントラルユニット２は、書き換え対象のビーコン端末３の設定内容と、識別情報と、ビーコン端末３の設定が変更済みであるか否かを示す情報とを互いに関連付けて保持する不揮発性メモリ１２と、ビーコン端末３から通信されるアドバタイズデータを取得するプロセッサ１１とを備え、プロセッサ１１が、アドバタイズデータに含まれるビーコン端末３の識別情報が不揮発性メモリ１２に保持されるビーコン端末の識別情報に一致し、ビーコン端末３の設定が変更未完了であり、且つビーコン端末３からの受信電波強度が閾値以上である場合に、ビーコン端末３に上記設定内容を送信して設定を変更させる。【選択図】図１
2018007155.tif 000002
【特許請求の範囲】
【請求項１】
書き換え対象のビーコン端末の設定内容と、前記ビーコン端末の識別情報と、前記ビーコン端末の設定が変更済みであるか否かを示す情報とを関連付けて保持する保持手段と、
ビーコン端末から通信されるデータを取得する取得手段と、
前記ビーコン端末から取得したデータに含まれるビーコン端末の識別情報が前記保持手段に保持されるビーコン端末の識別情報に一致し、前記データを通信したビーコン端末の設定が変更未完了であり、且つ前記データを通信したビーコン端末からの受信電波強度が閾値以上である場合に、前記データを通信したビーコン端末に前記設定内容を送信して設定を変更させる制御手段と
を備えることを特徴とする無線通信装置。
【請求項２】
前記データを通信したビーコン端末から受信した情報を表示する表示手段と、
前記無線通信装置の設定モードを、ビーコン端末から受信した情報を表示する第１モードと、ビーコン端末の設定を変更させる第２モードとのいずれか一方に切り替える第１切替手段とを備え、
前記設定モードが前記第１モードである場合には、前記表示手段は前記ビーコン端末から受信した情報を表示し、
前記設定モードが前記第２モードである場合には、前記制御手段は前記ビーコン端末の設定を変更させることを特徴とする請求項１に記載の無線通信装置。
【請求項３】
前記ビーコン端末から受信した識別情報が、当該ビーコン端末を個別に特定する識別情報である場合は、前記保持手段は、ビーコン端末毎に異なる設定内容を保持し、
前記ビーコン端末から受信した識別情報が、複数のビーコン端末を特定する識別情報である場合は、前記保持手段は、前記複数のビーコン端末に同一の設定内容を保持することを特徴とする請求項１又は２に記載の無線通信装置。
【請求項４】
前記ビーコン端末の識別情報が複数のビーコン端末の属するグループを識別する識別情報である場合、前記制御手段は、当該識別情報に対応する複数のビーコン端末に対して同一の設定内容を発信することを特徴とする請求項１に記載の無線通信装置。
【請求項５】
前記ビーコン端末の識別情報が複数のビーコン端末の属するグループを識別する識別情報である場合、前記制御手段は、電波受信強度が最大値であるビーコン端末から順番に接続して、前記複数のビーコン端末の設定を同一の設定内容に変更させることを特徴とする請求項２に記載の無線通信装置。
【請求項６】
前記無線通信装置の設定モードを、他の無線通信装置に通信する第３モードと、前記ビーコン端末からのデータを受信する第４モードとに切り替える第２切替手段とを備え、
前記無線通信装置の設定モードが前記第３モードである場合に、前記取得手段は前記書き換え対象のビーコン端末の設定内容と、前記書き換え対象のビーコン端末の識別情報とを前記他の無線通信装置から取得することを特徴とする請求項１乃至５のいずれか１項に記載の無線通信装置。
【発明の詳細な説明】
【技術分野】
【０００１】
本発明は、無線通信装置に関する。
【背景技術】
【０００２】
従来より、無線通信を利用してデータの送受信や書き換えを行うシステムが知られている（例えば、特許文献１，２参照）。
【０００３】
また、ビーコン端末を、駅、空港又はショッピングセンターなどで活用するサービスが知られている。例えば、利用者の携帯するスマートフォンやパーソナルコンピュータがビーコン端末から送信されるデータを受信し、駅又は空港の案内や各種キャンペーン等の情報を取得する。
【０００４】
ビーコン端末は、予め設定されたデータを定期的にブロードキャストし、通常スマートフォン等とは接続しない。つまり、ビーコン端末とスマートフォン等との間でデータの送受信は実行されない。
【０００５】
ところで、利用者に提供するサービスの種類やシステムの構成の変更に応じて、ビーコン端末の設定を変更する必要が生じる場合がある。例えば、駅又は空港の構内のレイアウト変更や提供サービスの変更に伴い、ビーコン端末のデバイスネーム、送信出力又は送信間隔などを変更することが考えられる。
【０００６】
一方、ビーコン端末の配信情報を変更せずに利用者に提供するデータを変更する方法も知られている。この方法では、例えば、ビーコン端末からの配信情報を受信したスマートフォンが、ネットワーク経由で当該配信情報をサーバに送信し、当該サーバから実際に使用するデータを取得する。しかし、この方法では、ネットワークアクセスが前提であり、利用者の携帯する端末がネットワークアクセスを実行できない場合には、この方法は役に立たない。
【先行技術文献】
【特許文献】
【０００７】
【特許文献１】特開２０００−３０５９９４号公報
【特許文献２】特開２００２−１９００６５号公報
【発明の概要】
【発明が解決しようとする課題】
【０００８】
ＰＣをビーコン端末に有線で接続してビーコン端末の設定を変更すれば、ビーコン端末の設定を簡単且つ確実に変更できるが、ビーコン端末が手の届きにくい位置に設置された場合に結線作業などが不便である。また、ビーコン端末はＰＣを接続するためのコネクタを必要とするので、コネクタ部分に高い防水性や防塵性が要求される。
【０００９】
ＰＣを無線でビーコン端末に接続し、ビーコン端末の設定を変更することも考えられる。しかし、駅又は空港などには多数のビーコン端末が設置されるため、ビーコン端末の設定を１台ずつマニュアルで変更すると、設定変更に膨大な時間が必要になる。また、多数のビーコン端末ごとに設定が変更される場合には、ＰＣに接続されるビーコン端末を選択する煩雑な作業が発生するため、ビーコン端末の管理も容易ではない。
【００１０】
本発明は、容易に多数のビーコン端末の設定を変更可能な無線通信装置を提供することを目的とする。
【課題を解決するための手段】
【００１１】
上記目的を達成するため、明細書に開示された無線通信装置は、書き換え対象のビーコン端末の設定内容と、前記ビーコン端末の識別情報と、前記ビーコン端末の設定が変更済みであるか否かを示す情報とを関連付けて保持する保持手段と、ビーコン端末から通信されるデータを取得する取得手段と、前記ビーコン端末から取得したデータに含まれるビーコン端末の識別情報が前記保持手段に保持されるビーコン端末の識別情報に一致し、前記データを通信したビーコン端末の設定が変更未完了であり、且つ前記データを通信したビーコン端末からの受信電波強度が閾値以上である場合に、前記データを通信したビーコン端末に前記設定内容を送信して設定を変更させる制御手段とを備えることを特徴とする。
【発明の効果】
【００１２】
本発明によれば、容易に多数のビーコン端末の設定を変更できる。
【図面の簡単な説明】
【００１３】
【図１】本実施の形態に係る無線通信装置を備える無線通信システムの構成図である。
【図２】ビーコン端末がブロードキャストするアドバタイズデータのフォーマットを示す図である。
【図３】（Ａ）は、ビーコン端末の設定内容を示す図である。（Ｂ）は、ビーコン端末に関する情報の一例を示す図である。
【図４】セントラルユニット及びビーコン端末で実行される処理を示すシーケンス図である。
【図５】（Ａ），（Ｂ）は、ビーコン端末のアドレスと書き換え完了フラグとの対応関係を示すデータを示す図である。
【図６】設定書換モード時のセントラルユニットで実行される処理の詳細を示すフローチャートである。
【図７】（Ａ）は、無線通信システムの変形例の構成図である。（Ｂ）は、ビーコン端末の設定内容をセントラルユニットに設定する方法を示すシーケンス図である。
【発明を実施するための形態】
【００１４】
以下、図面を参照しながら本発明の実施の形態を説明する。
【００１５】
図１は、本実施の形態に係る無線通信装置を備える無線通信システムの構成図である。なお、本実施形態では、無線通信装置の一例として可搬型無線通信装置を用いる例を説明する。
【００１６】
図１の無線通信システム１は、セントラルユニット２と、複数のビーコン端末３と、コンピュータ（ＰＣ）４とを備えている。セントラルユニット２は、例えば、ユーザによって持ち運ばれるノートパソコンやスマートフォンのような可搬型無線通信装置である。セントラルユニット２は、ビーコン端末３から送信されるデータを受信し、表示する。ビーコン端末３は各種のデータをブロードキャストする。ビーコン端末３から送信されるデータは、例えば、案内や各種キャンペーンの情報、若しくは不図示のサーバに格納された案内や各種キャンペーンの情報にアクセスするためのＩＤである。
【００１７】
セントラルユニット２は、キーボード又はプッシュボタンのような操作部１０と、セントラルユニット２の動作全体を制御するプロセッサ１１と、各種のデータ、各種のプログラム、及び書き換え対象となるビーコン端末３の設定データ、ビーコン端末３の設定の書き換え結果などを格納する不揮発性メモリ１２と、ビーコン端末３から送信される情報、又はビーコン端末３の設定の書き換え完了の通知や書き換え結果などを表示する表示装置（ＬＣＤ：液晶ディスプレイ）１３と、ビーコン端末３の設定の書き換え完了の通知や書き換え結果などを表示する表示装置（ＬＥＤ：発光ダイオード）１４と、Bluetooth (登録商標) Low Energy規格に従ってビーコン端末３と無線通信を行うとともにビーコン端末３からの受信電波強度を検出する無線通信回路部１５と、ＰＣ４と有線で接続する入出力インタフェース１６と、セントラルユニット２の各要素に電力を供給する電源部１７と、アンテナ１８とを備えている。プロセッサ１１は、バス１９を介して、不揮発性メモリ１２、表示装置１３及び１４、無線通信回路部１５、入出力インタフェース１６、及び電源部１７に接続されている。
【００１８】
プロセッサ１１は、取得手段、書換手段、第１切替手段及び第２切替手段として機能する。不揮発性メモリ１２は保持手段として機能する。表示装置１３は、表示手段として機能する。表示装置１３，１４は、通知手段として機能する。入出力インタフェース１６は接続手段として機能する。
【００１９】
表示装置１４は、ユーザにビーコン端末３の設定の書き換え完了や設定の書き換え結果などを通知するために用いられるが、セントラルユニット２は表示装置１４を必ずしも備えていなくてもよい。
【００２０】
入出力インタフェース１６はＵＡＲＴ（Universal Asynchronous Receiver Transmitter）又はＵＳＢ（Universal Serial Bus）などのインタフェースである。書き換え対象となるビーコン端末３の設定は、入出力インタフェース１６を介してＰＣ４によりセントラルユニット２に書き込まれ、又はビーコン端末３の設定の書き換え結果が入出力インタフェース１６を介してＰＣ４に出力され表示される。電源部１７は、例えばバッテリ又はＡＣ電源である。
【００２１】
ビーコン端末３は、ビーコン端末３の動作全体を制御するプロセッサ２１と、各種のデータやプログラムなどを格納する不揮発性メモリ２２と、セントラルユニット２との接続状況やビーコン端末３の設定の書き換え完了を表示する表示装置（ＬＣＤ）２３及び表示装置（ＬＥＤ）２４と、Bluetooth (登録商標) Low Energy規格に従ってセントラルユニット２と無線通信を行う無線通信回路部２５と、ビーコン端末３の各要素に電力を供給する電源部２６と、アンテナ２７とを備えている。プロセッサ２１は、バス２８を介して、不揮発性メモリ２２、表示装置２３及び２４、無線通信回路部２５及び電源部２６に接続されている。
【００２２】
ビーコン端末３は、表示装置２３，２４を備えていなくてもよい。電源部２６は、例えばバッテリ又はＡＣ電源である。不揮発性メモリ２２は、ビーコン端末３が接続可能なセントラルユニットのアドレスやＩＤなどを記憶する。プロセッサ２１は、セントラルユニットとの接続確立時にセントラルユニットからそのアドレス又はＩＤを取得し、当該セントラルユニットが接続可能なセントラルユニットであるか否かを判断してもよい。取得したアドレス又はＩＤが接続可能なセントラルユニットのアドレス又はＩＤでない場合には、プロセッサ２１は、そのセントラルユニットとの接続を拒否してもよい。
【００２３】
図２は、ビーコン端末３がブロードキャストするアドバタイズデータのフォーマットを示す図である。
【００２４】
アドバタイズデータは、Bluetooth (登録商標) Low Energy規格に従って予め決められているので、詳細は省略する。本実施の形態では、アドバタイズデータは、少なくとも２セットのデータを含む。１セット目のデータは、データ長（Length）３１、アドバタイズデータタイプ（AD Type）３２及びアドバタイズデータ（Flag）３３を含み、図２の例ではそれぞれ、「０ｘ０２」、「０ｘ０１」及び「０ｘ０４」の値が入力されている。アドバタイズデータ（Flag）３３はBluetooth (登録商標) Low Energy規格以外のブルートゥース(登録商標)端末には接続しないことを示すフラグである。
【００２５】
２セット目のデータは、データ長（Length）３４、アドバタイズデータタイプ（AD Type）３５、カンパニーＩＤ（Company ID）３６及びユーザ定義データ（Manufacturer Specific Data）３７を含み、図２の例ではそれぞれ「０ｘＸＸ」、「０ｘｆｆ」、「０ｘＸＸ」、「０ｘＸＸ…ＸＸ」の値が入力されている。ユーザ定義データ３７はユーザが独自に定めるデータである。本実施の形態では、ビーコン端末３のアドレス、ビーコン端末３の名前、ビーコン端末３のＩＤ、ビーコン端末３が所属するグループのＩＤ、案内や各種キャンペーン等の情報、又は不図示のサーバに格納された情報にアクセスするためのＩＤなどを含む。
【００２６】
図３（Ａ）は、ビーコン端末３の設定内容を示す図である。ビーコン端末３の設定内容には設定項目と設定値が含まれ、セントラルユニット２の不揮発性メモリ１２に格納され、セントラルユニット２がビーコン端末３の設定を変更する際に利用される。ビーコン端末３の設定内容は、操作部１０又はＰＣ４によって変更可能である。
【００２７】
図３（Ａ）では、ビーコン端末３の設定内容は、設定項目としてデバイスネーム、アドバタイズデータ、送信出力及びリモート設定機能を含む。ビーコン端末３の設定内容は、他の設定項目を含んでもよい。デバイスネームは、ビーコン端末３の名前を示し、図３（Ａ）では「Beacon」がデバイスネームとして設定されている。アドバタイズデータはビーコン端末３から出力されるデータの一例であり、設定値の「120946……652031」は、例えばビーコン端末３のローカルネームを示す。送信出力はビーコン端末３の電波の送信出力を示し、設定値の「４」は４ｄＢｍを示す。リモート設定機能は無線通信でのビーコン端末３の設定変更機能の有効又は無効を示す。設定値の「１」は無線通信でのビーコン端末３の設定変更機能が有効であることを示し、設定値が「０」である場合には無線通信でのビーコン端末３の設定変更機能が無効であることを示す。
【００２８】
図３（Ｂ）は、ビーコン端末３に関する情報の一例を示す。図３（Ｂ）の情報は、ビーコン端末３のアドレス、名前、ＩＤ、ビーコン端末３が所属するグループのＩＤ（以下グループＩＤという）を含み、セントラルユニット２の不揮発性メモリ１２に格納されている。また、図３（Ｂ）の情報は図３（Ａ）のビーコン端末３の設定内容と関連付けされている。ビーコン端末３の各アドレスに設定内容が関連付けされるため、ビーコン端末３ごとに設定内容を書き換えることができる。
【００２９】
ビーコン端末３の設定内容は、ビーコン端末３ごとに異なってもよいし、グループＩＤで特定される複数のビーコン端末３に対して同一であってもよい。
【００３０】
図４は、セントラルユニット２及びビーコン端末３で実行される処理を示すシーケンス図である。図４では１台のビーコン端末３が示されているが、他のビーコン端末３でも図４のビーコン端末３と同様の処理が実行される。
【００３１】
セントラルユニット２は、設定モードとして、ビーコン端末３から案内や各種キャンペーン等の情報を受信して表示する情報表示モード（第１モード）と、ビーコン端末３の設定を書き換える設定書換モード（第２モード）とを有する。初期状態では、セントラルユニット２は情報表示モードに設定されている。操作部１０の操作によって、セントラルユニット２の設定モードは、情報表示モードから設定書換モードに又は設定書換モードから情報表示モードに切り替えられる。
【００３２】
通常時には、ビーコン端末３のプロセッサ２１がビーコン端末３のアドレスおよび案内や各種キャンペーン等の情報を含むアドバタイズデータを配信する（Ｓ１）。セントラルユニット２のプロセッサ１１は、アドバタイズデータをスキャンして、ビーコン端末３が配信したアドバタイズデータを受信する（Ｓ２、Ｓ３）。
【００３３】
アドバタイズデータを受信すると、セントラルユニット２の表示装置１３に、アドバタイズデータに含まれている案内や各種キャンペーン等の情報が表示される（Ｓ４）。
【００３４】
その後、セントラルユニット２では、操作部１０の操作によって、設定モードが情報表示モードから設定書換モードに切り替えられるとする（Ｓ５）。
【００３５】
設定書換モードでは、ビーコン端末３はビーコン端末３のアドレス等を含むアドバタイズデータを配信する（Ｓ６）。セントラルユニット２はアドバタイズデータをスキャンする（Ｓ７）。セントラルユニット２はアドバタイズデータを受信すると、セントラルユニット２はビーコン端末３に接続要求を送信する（Ｓ８）。ビーコン端末３のプロセッサ２１はセントラルユニット２からの接続要求を受信し、接続応答をセントラルユニット２に返信する（Ｓ９）。この処理により、セントラルユニット２とビーコン端末３との間の無線通信接続が確立する（Ｓ１０）。
【００３６】
ビーコン端末３との無線通信が確立すると、セントラルユニット２のプロセッサ１１は、書き換えるべき設定内容を含む書換コマンドをビーコン端末３に送信する（Ｓ１１）。ビーコン端末３のプロセッサ２１は、セントラルユニット２から受信した書換コマンドに従って、自身の設定を更新し（Ｓ１２）、応答イベントをセントラルユニット２に返信する（Ｓ１３）。Ｓ１１〜Ｓ１３の処理は、全ての設定の書き換えが終了するまで繰り返し実行される。
【００３７】
全ての設定事項の書き換えが終了すると、セントラルユニットでは書き換え完了の表示がなされる（Ｓ１４）。このとき、セントラルユニット２の表示装置１３に書き換え完了の旨が表示され、または表示装置１４が書き換え完了を示すように点灯する。同様に、全ての設定事項の書き換えが終了すると、ビーコン端末３で書き換え完了の表示がなされる（Ｓ１５）。このとき、ビーコン端末３の表示装置２３に書き換え完了の旨が表示され、又は表示装置２４が点灯する。なお、セントラルユニット２・ビーコン端末３がスピーカを備える場合には、スピーカから書き換え完了を示す音声やビープ音などを出力してもよい。
【００３８】
次いで、セントラルユニット２は、書き換え完了の表示を開始してから所定時間経過後に切断コマンドをビーコン端末３に送信する（Ｓ１６）。ビーコン端末３のプロセッサ２１は、切断コマンドを受信すると応答イベントをセントラルユニット２に返信する（Ｓ１７）。これにより、セントラルユニット２とビーコン端末３との間の無線通信接続が切断される（Ｓ１８）。
【００３９】
図５（Ａ），（Ｂ）は、ビーコン端末３のアドレスと書き換え完了フラグとの対応関係を示すデータを示す図である。図５（Ａ）はアドレス「00e000123456」のビーコン端末３の設定が書き換えられる前の書き換え完了フラグの状態を示し、図５（Ｂ）はアドレス「00e000123456」のビーコン端末３の設定が書き換えられた後の書き換え完了フラグの状態を示す。
【００４０】
図５に図示するデータは操作部１０又はＰＣ４により設定され、セントラルユニット２の不揮発性メモリ１２に保存される。ビーコン端末の設定書き換えを行っていない状態では、対応する書き換え完了フラグは図５（Ａ）に示すように書き換え未完了を示す「０」に設定される。いずれかのビーコン端末３の設定の書き換えが完了すると、セントラルユニット２のプロセッサ１１は、図５（Ｂ）に示すように、該当するビーコン端末３に対応する書き換え完了フラグを「１」に設定する。
【００４１】
図５（Ａ），（Ｂ）のデータは、ビーコン端末３のアドレスを介して、図３（Ｂ）のビーコン端末３の名前、ＩＤ及びグループＩＤ、さらに、図３（Ａ）のビーコン端末３の設定内容と関連付けされている。
【００４２】
図６は、設定書換モード時にセントラルユニット２で実行される処理の詳細を示すフローチャートである。
【００４３】
まず、操作部１０又はＰＣ４の操作に応じて、プロセッサ１１は設定書き換え対象のビーコン端末３の設定内容、及び書き換え対象のビーコン端末３のアドレス、名前、ＩＤ又はグループＩＤを不揮発性メモリ１２に設定する（Ｓ３１）。プロセッサ１１は、図５に示すデータの書き換え完了フラグを参照して、書き換え未完了のビーコン端末３が存在するか否かを判別する（Ｓ３２）。
【００４４】
書き換え未完了のビーコン端末３が存在しない場合には（Ｓ３２でＮＯ）、図６の処理を終了する。一方、書き換え未完了のビーコン端末３が存在する場合には（Ｓ３２でＹＥＳ）、プロセッサ１１は、ビーコン端末３からのアドバタイズデータをスキャンする（Ｓ３３）。なお、アドバタイズデータには、ビーコン端末３のアドレス、名前、ＩＤ又はグループＩＤの少なくとも一つが含まれる。
【００４５】
アドバタイズデータを取得した場合、プロセッサ１１は、Ｓ３３で取得したアドバタイズデータに含まれるアドレス、名前、ＩＤ又はグループＩＤがＳ３１で設定されたアドレス、名前、ＩＤ又はグループＩＤと一致するか否かを判別する（Ｓ３４）。取得したアドバタイズデータに含まれるアドレス、名前、ＩＤ又はグループＩＤがＳ３１で設定されたアドレス、名前、ＩＤ又はグループＩＤと一致しない場合には（Ｓ３４でＮＯ）、処理はＳ３３に戻る。
【００４６】
Ｓ３３で取得したアドバタイズデータに含まれるアドレス、名前、ＩＤ又はグループＩＤのいずれかがＳ３１で設定されたアドレス、名前、ＩＤ又はグループＩＤと一致する場合には（Ｓ３４でＹＥＳ）、プロセッサ１１は、取得したビーコン端末３のアドレスに対応する書き換え完了フラグを参照して、Ｓ３３でスキャンしたアドバタイズデータを発信したビーコン端末３の設定が既に書き換え済みであるか否かを判別する（Ｓ３５）。
【００４７】
ビーコン端末３の設定が既に書き換え済みである場合には（Ｓ３５でＹＥＳ）、処理はＳ３３に戻る。一方、ビーコン端末３の設定が書き換え未完了である場合には（Ｓ３５でＮＯ）、プロセッサ１１は、ビーコン端末３からの受信電波強度（ＲＳＳＩ：Received Signal Strength Indication）が閾値以上であるか否かを判別する（Ｓ３６）。これは、受信電波強度が閾値未満である場合は、ビーコン端末３がセントラルユニット２から離れており、ビーコン端末３の設定を安定して書き換えることができないからである。
【００４８】
ビーコン端末３からの受信電波の強度が閾値未満である場合には（Ｓ３６でＮＯ）、処理はＳ３３に戻る。一方、ビーコン端末３からの受信電波強度が閾値以上である場合には（Ｓ３６でＹＥＳ）、プロセッサ１１は、Ｓ３３で取得したアドバタイズデータに含まれている情報がビーコン端末３を個別に特定するアドレス、名前又はＩＤか、あるいは複数のビーコン端末３を特定するグループＩＤが含まれているのかを判別する（Ｓ３７）。ここでは、個別のビーコン端末３の設定を書き換えるのか、又はグループＩＤで特定されるグループに属する複数のビーコン端末３を同一の設定内容で書き換えるのかを判断している。
【００４９】
Ｓ３７において、Ｓ３３のアドバタイズデータに含まれている情報がビーコン端末３を個別に特定するアドレス、名前又はＩＤである場合、言い換えるとグループＩＤが含まれていない場合には、プロセッサ１１は、当該アドレス、名前又はＩＤに対応するビーコン端末３と接続する（Ｓ３８）。
【００５０】
ビーコン端末３との接続が完了した後、プロセッサ１１は、当該ビーコン端末３の設定を書き替える処理を実行する（Ｓ３９）。具体的には、プロセッサ１１は、書き換え対象の設定内容を当該ビーコン端末３に送信し、当該ビーコン端末３に書き換えを実行させる。
【００５１】
プロセッサ１１は、ビーコン端末３から書き換え完了通知を受信したか否かに基づいて、設定の書き換えが完了したか否かを判別する（Ｓ４０）。設定の書き換えが完了していない場合には（Ｓ４０でＮＯ）、処理はＳ３９に戻る。設定の書き換えが完了した場合には（Ｓ４０でＹＥＳ）、プロセッサ１１は、設定の書き換えが完了したビーコン端末３に対応する書き換え完了フラグに「１」を設定し（Ｓ４１）、ビーコン端末３との通信を切断する（Ｓ４２）。本処理はＳ３２に戻る。
【００５２】
一方、Ｓ３７において、取得したアドバタイズデータにグループＩＤが含まれていると判断した場合には、プロセッサ１１は、グループＩＤで特定される同一グループに含まれる複数のビーコン端末３に接続し、設定の書き換えを行う。この際、同一グループに属する個々のビーコン端末３の受信電波強度に基づいて、受信電波強度が最大のビーコン端末３を順次探す（Ｓ４３）。受信電波強度が最大値であるビーコン端末３を探す理由は、セントラルユニット２はユーザの移動により移動するため、安定して設定を書き換えられるビーコン端末３を探すためである。また、グループＩＤで特定される複数のビーコン端末３は同じ設定内容で書き換えられるが、Ｓ４３により受信電波強度が最大値であるビーコン端末３、すなわちセントラルユニット２に近いビーコン端末３から順番に設定が書き換えられる。
【００５３】
あるビーコン端末３からの受信電波強度が最大値である場合には（Ｓ４３でＹＥＳ）、プロセッサ１１はそのビーコン端末３と接続する（Ｓ３８）。一方、あるビーコン端末３の受信電波強度が最大値でない場合には（Ｓ４３でＮＯ）、処理はＳ３３に戻り、他のビーコン端末３の受信電波強度を確認する。
【００５４】
図１の無線通信システム１では、操作部１０又はＰＣ４の操作に応じて、プロセッサ１１が書き換え対象のビーコン端末３の設定内容を設定したが、例えば、セントラルユニット２がスマートフォンなどの他の無線通信装置から書き換え対象のビーコン端末３の設定内容を受信し、不揮発性メモリ１２に設定してもよい。
【００５５】
図７（Ａ）は、無線通信システム１の変形例の構成図である。図７（Ａ）では、セントラルユニット２が他の無線通信装置５から書き換え対象のビーコン端末３の設定内容を受信し、書き換え対象のビーコン端末３の設定内容を不揮発性メモリ１２に設定する。その後、セントラルユニット２は書き換え対象のビーコン端末３の設定内容を当該ビーコン端末３に送信し、ビーコン端末３が設定内容を書き換える。尚、他の無線通信装置５の構成はセントラルユニット２の構成と同様である。つまり、他の無線通信装置５は、プロセッサ、不揮発性メモリ、表示装置、無線通信回路部、入出力ＩＦ及び電源部を備えている。
【００５６】
図７（Ｂ）は、ビーコン端末３の設定内容をセントラルユニット２に設定する方法を示すシーケンス図である。
【００５７】
セントラルユニット２は、設定モードとして、ビーコン端末３のようにアドバタイズデータを他の無線通信装置に同報通信するペリフェラルモード（第３モード）と、ビーコン端末３からのアドバタイズデータを受信するセントラルモード（第４モード）とを有する。初期状態では、セントラルユニット２の設定モードはセントラルモードに設定されている。操作部１０の操作によって、セントラルユニット２の設定モードは、セントラルモードからペリフェラルモードに又はペリフェラルモードからセントラルモードに切り替えられる。
【００５８】
まず、セントラルユニット２のプロセッサ１１は、操作部１０の操作に応じて設定モードをセントラルモードからペリフェラルモードに切り替える（Ｓ５１）。
【００５９】
セントラルユニット２のプロセッサ１１は、セントラルユニット２のアドレス等を含むアドバタイズデータを同報通信する（Ｓ５２）。他の無線通信装置５のプロセッサは、アドバタイズデータをスキャンして（Ｓ５３）、アドバタイズデータを発信したセントラルユニット２に接続要求を送信する（Ｓ５４）。セントラルユニット２のプロセッサ１１は、接続要求を受信すると接続応答を他の無線通信装置５に返信し（Ｓ５５）、セントラルユニット２と他の無線通信装置５との間の無線通信接続が確立する（Ｓ５６）。
【００６０】
無線通信接続が確立すると、他の無線通信装置５のプロセッサは、書き換え対象のビーコン端末３の設定内容を含む書込コマンドをセントラルユニット２に送信する（Ｓ５７）。
【００６１】
セントラルユニット２のプロセッサ１１は、受信した書込コマンドに含まれるビーコン端末３の設定内容を不揮発性メモリ１２に書き込み、応答イベントを他の無線通信装置５に返信する（Ｓ５８）。他の無線通信装置５のプロセッサは、所定時間経過後に切断コマンドをセントラルユニット２に送信する（Ｓ５９）。セントラルユニット２のプロセッサ１１は、切断コマンドを受信すると応答イベントを他の無線通信装置５に返信する（Ｓ６０）。これにより、セントラルユニット２と他の無線通信装置５との無線通信接続が切断される（Ｓ６１）。その後、セントラルユニット２では、操作部１０の操作によって設定モードがペリフェラルモードからセントラルモードに切り替えられる（Ｓ６２）。尚、セントラルユニット２からビーコン端末３への設定の書き換えは、図４に従って実行される。
【００６２】
図７（Ｂ）では、セントラルユニット２は、書き換え対象のビーコン端末３の設定内容を他の無線通信装置５から取得しているが、書き換え対象のビーコン端末３のアドレス、名前、ＩＤ又はグループＩＤ及びビーコン端末３のアドレスと書き換え完了フラグとの対応関係を示すデータも他の無線通信装置５から取得してもよい。
【００６３】
以上説明したように、本実施の形態によれば、セントラルユニット２は、書き換え対象のビーコン端末３の設定内容と、ビーコン端末３の識別情報と、ビーコン端末３の設定が書き換え完了済みであるか否かを示すフラグとを互いに関連付けて保持する不揮発性メモリ１２と、ビーコン端末３からのアドバタイズデータを取得するプロセッサ１１とを備え、アドバタイズデータに含まれるビーコン端末３の識別情報が不揮発性メモリ１２に保持されるビーコン端末の識別情報に一致し、アドバタイズデータを同報通信したビーコン端末３の設定が書き換え未完了であり、且つアドバタイズデータを同報通信したビーコン端末３からの受信電波強度が閾値以上である場合に、プロセッサ１１はアドバタイズデータを同報通信したビーコン端末３の設定を書き換える。
【００６４】
このように、セントラルユニット２が自動的に書き換え対象のビーコン端末３と接続して設定を書き換えるので、ユーザはセントラルユニット２を持ってビーコン端末３に近づくだけで、ビーコン端末３の設定を書き換えることができる。よって、容易に多数のビーコン端末の設定を変更することができる。
【００６５】
尚、本発明は、上述した実施の形態に限定されるものではなく、その要旨を逸脱しない範囲内で種々変形して実施することが可能である。
【符号の説明】
【００６６】
１  無線通信システム
２  セントラルユニット
３  ビーコン端末
４  ＰＣ
１０  操作部
１１，２１  プロセッサ
１２，２２  不揮発性メモリ
１３，２３  表示装置（ＬＣＤ）
１４，２４  表示装置（ＬＥＤ）
１５，２５  無線通信回路部
１６  入出力インタフェース
【図１】
2018007155.tif 000003
【図２】
2018007155.tif 000004
【図３】
2018007155.tif 000005
【図４】
2018007155.tif 000006
【図５】
2018007155.tif 000007
【図６】
2018007155.tif 000008
【図７】
2018007155.tif 000009